(57)【要約】【課題】保温性を向上させることができる羽毛掛け布団を提供することを目的としている。【解決手段】矩形袋状を横仕切り線２ａ１〜２ａ４、縦仕切り線２ｂ１〜２ｂ７によって複数の胴体羽毛充填空間Ｋ１〜Ｋ１８に仕切り、それぞれの胴体羽毛充填空間Ｋ１〜Ｋ１８に羽毛を充填してなる就寝者の胴体部分を覆う胴体覆い部２と、  胴体覆い部２の上部全幅に亘って該胴体覆い部２と一体的に設けられた就寝者の肩口を覆う矩形袋状の肩口覆い部３と、を備え、  肩口覆い部３には、該肩口覆い部３の中心線Ｏから該肩口覆い部３左右両側方向に３０ｃｍ〜３５ｃｍ離れた上辺部左右位置Ｐ１から、該中心線Ｏに向って傾斜した一対の第１傾斜仕切り線３ｅが形成され、これにより、第１肩口羽毛充填空間Ｋ２０が形成されてなる。【選択図】図１
0003214557.tif 000002
【実用新案登録請求の範囲】
【請求項１】
矩形袋状を縦横の仕切り線によって複数の胴体羽毛充填空間に仕切り、それぞれの胴体羽毛充填空間に羽毛を充填してなる就寝者の胴体部分を覆う胴体覆い部と、
前記胴体覆い部の上部全幅に亘って該胴体覆い部と一体的に設けられた就寝者の肩口を覆う矩形袋状の肩口覆い部と、を備え、
前記肩口覆い部には、該肩口覆い部の中心線から該肩口覆い部左右両側方向に３０ｃｍ〜３５ｃｍ離れた上辺部左右位置から、該中心線に向って傾斜した一対の第１傾斜仕切り線が形成され、これにより、第１肩口羽毛充填空間が形成されてなる羽毛掛け布団。
【請求項２】
前記肩口覆い部には、前記一対の第１傾斜仕切り線の上辺部左右位置から該肩口覆い部左右両側方向に所定間隔離れた上辺部左右位置から、該第１傾斜仕切り線と平行となるように、上記中心線に向って傾斜した一対の第２傾斜仕切り線がさらに形成され、これにより、第２〜第５羽毛充填空間がさらに形成されてなる請求項１に記載の羽毛掛け布団。
【考案の詳細な説明】
【技術分野】
【０００１】
本考案は、掛け布団として使用される羽毛掛け布団に関する。
【背景技術】
【０００２】
一般に、羽毛掛け布団は、矩形袋状の外側布地内に充填した羽毛が他の中綿（化繊綿、天然綿等）に比べて移動し易く、中綿の片寄りが生じ易い。そこで、矩形袋状の外側布地内をキルティング加工や仕切り布等によって縦横に区画している（例えば、特許文献１参照）。
【先行技術文献】
【特許文献】
【０００３】
【特許文献１】実公昭５５−５２８６６号公報
【考案の概要】
【考案が解決しようとする課題】
【０００４】
しかしながら、従来の羽毛掛け布団は、就寝者の身体に羽毛掛け布団を掛けた際、身体への密着性が低く、身体と羽毛掛け布団との間に隙間が形成され易くなり、もって、羽毛掛け布団内へ外気が侵入し、保温性が低くなるという問題があった。
【０００５】
そこで、本考案は、上述の事情に鑑み、保温性を向上させることができる羽毛掛け布団を提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１の考案によれば、矩形袋状を縦横の仕切り線（横仕切り線２ａ１〜２ａ４、縦仕切り線２ｂ１〜２ｂ７）によって複数の胴体羽毛充填空間（Ｋ１〜Ｋ１８）に仕切り、それぞれの胴体羽毛充填空間（Ｋ１〜Ｋ１８）に羽毛（Ｕ）を充填してなる就寝者（Ｈ）の胴体部分を覆う胴体覆い部（２）と、
前記胴体覆い部（２）の上部全幅に亘って該胴体覆い部（２）と一体的に設けられた就寝者（Ｈ）の肩口（Ｈａ）を覆う矩形袋状の肩口覆い部（３）と、を備え、
前記肩口覆い部（３）には、該肩口覆い部（３）の中心線（Ｏ）から該肩口覆い部（３）左右両側方向に３０ｃｍ〜３５ｃｍ離れた上辺部左右位置（Ｐ１）から、該中心線（Ｏ）に向って傾斜した一対の第１傾斜仕切り線（３ｅ）が形成され、これにより、第１肩口羽毛充填空間（Ｋ２０）が形成されてなることを特徴としている。
【０００８】
また、請求項２の考案によれば、上記請求項１に記載の羽毛掛け布団において、前記肩口覆い部（３）には、前記一対の第１傾斜仕切り線（3ｅ）の上辺部左右位置（Ｐ１）から該肩口覆い部（３）左右両側方向に所定間隔離れた上辺部左右位置（Ｐ２）から、該第１傾斜仕切り線（３ｅ）と平行となるように、上記中心線（Ｏ）に向って傾斜した一対の第２傾斜仕切り線（３ｆ）がさらに形成され、これにより、第２〜第５羽毛充填空間（Ｋ２１〜Ｋ２４）がさらに形成されてなることを特徴としている。
【考案の効果】
【０００９】
次に、本考案の効果について、図面の参照符号を付して説明する。なお、括弧内は、後述する実施形態の参照符号を付したものであるが、本考案はこれに限定されるものではない。
【００１０】
請求項１の考案によれば、肩口覆い部（３）に、該肩口覆い部（３）の中心線（Ｏ）から該肩口覆い部（３）左右両側方向に３０ｃｍ〜３５ｃｍ離れた上辺部左右位置（Ｐ１）から、該中心線（Ｏ）に向って傾斜した一対の第１傾斜仕切り線（３ｅ）を形成することにより、敷布団（Ｆ）に仰向けで寝ている就寝者（Ｈ）に羽毛掛け布団（１）を掛けた際、就寝者（Ｈ）の肩口（Ｈａ）に、羽毛掛け布団（１）、すなわち、肩口覆い部（３）を密着させることができ、もって、就寝者（Ｈ）と肩口覆い部（３）との間に形成される隙間（Ｓ１）を小さくすることができる。これにより、羽毛掛け布団（１）内への外気の侵入を低減させることができ、もって、保温性を向上させることができる。なお、３０ｃｍより小さくすると、就寝者（Ｈ）の肩口（Ｈａ）に肩口覆い部（３）を密着させることができず、３５ｃｍより大きくすると、就寝者（Ｈ）と肩口覆い部（３）との間に形成される隙間（Ｓ１）が大きくなり、もって、外気の侵入を向上させることとなり、もって、保温性が低下することとなる。
【００１１】
さらに、請求項２の考案によれば、肩口覆い部（３）に、一対の第１傾斜仕切り線（3ｅ）の上辺部左右位置（Ｐ１）から該肩口覆い部（３）左右両側方向に所定間隔離れた上辺部左右位置（Ｐ２）から、該第１傾斜仕切り線（３ｅ）と平行となるように、上記中心線（Ｏ）に向って傾斜した一対の第２傾斜仕切り線（３ｆ）をさらに形成することにより、敷布団（Ｆ）に仰向けで寝ている就寝者（Ｈ）に羽毛掛け布団（１）を掛けた際、肩口覆い部（３）が敷布団（Ｆ）の上面で折れ曲がり、もって、敷布団（Ｆ）に密着させることができる。それゆえ、就寝者（Ｈ）と肩口覆い部（３）との間に形成される隙間（Ｓ１）が大きくならないようにすることができる。これにより、羽毛掛け布団（１）内への外気の侵入を低減させることができ、もって、保温性を向上させることができる。
【図面の簡単な説明】
【００１２】
【図１】本考案の一実施形態に係る羽毛掛け布団の平面図である。
【図２】同実施形態に係る羽毛掛け布団を敷布団に仰向けで寝ている就寝者に掛けた状態を示し、（ａ）は就寝者の頭部側からの斜視図、（ｂ）は就寝者の頭部側の正面図である。
【図３】同実施形態に係る肩口覆い部の左半分部分の概略断面図を示し、（ａ）は肩口覆い部に一対の第１傾斜仕切り線を形成した場合を示し、（ｂ）は肩口覆い部に一対の第１傾斜仕切り線，第２傾斜仕切り線を形成した場合を示し、（ｃ）は肩口覆い部に一対の第１傾斜仕切り線，第２傾斜仕切り線，第３傾斜仕切り線を形成した場合を示す図である。
【考案を実施するための形態】
【００１３】
以下に、本考案に係る羽毛掛け布団の一実施形態について、図面を参照して具体的に説明する。なお、以下の説明において、上下左右の方向を示す場合は、図示正面から見た場合の上下左右をいうものとする。
【００１４】
図１に示すように、羽毛掛け布団１は、縦長長方形状の羽毛掛け布団本体１０を備え、この羽毛掛け布団本体１０は、就寝者Ｈ（図２参照）の胴体部分を覆う胴体覆い部２と、胴体覆い部２の上部全幅に亘って、その胴体覆い部２と一体的に設けられた就寝者Ｈ（図２参照）の肩口Ｈａ（図２参照）を覆う肩口覆い部３とで構成されている。羽毛掛け布団本体１０は、図１に示すように、縦幅Ｗ１（例えば、約２２０ｃｍ）、横幅Ｗ２（例えば、約１５６ｃｍ）からなる矩形布地を上下２枚重ね合わせ周囲を上下左右縫合線１０ａ〜１０ｄに沿ってキルティング縫着し矩形袋状とすることによって形成されてなるものである。なお、この羽毛掛け布団本体１０の内部には、羽毛Ｕ（図３参照）が所定量充填されている。
【００１５】
胴体覆い部２は、図１に示すように、上記羽毛掛け布団本体１０のうち、縦幅Ｗ１Ａ（例えば、約１６５ｃｍ）、横幅Ｗ２（例えば、約１５６ｃｍ）部分を示すものである。この胴体覆い部２は、一定間隔置きに設けられた横仕切り線２ａ１〜２ａ４、縦仕切り線２ｂ１〜２ｂ７に沿ってキルティング縫着され、複数の胴体羽毛充填空間Ｋ１〜Ｋ１８に仕切られている。これにより、これら胴体羽毛充填空間Ｋ１〜Ｋ１８は、縦幅Ｗ１Ａａ（例えば、約５５ｃｍ）、横幅Ｗ２Ａ（例えば、約２６ｃｍ）の縦長長方形状に形成され、それぞれの空間内に羽毛Ｕ（図３参照）が所定量充填されている。
【００１６】
肩口覆い部３は、図１に示すように、上記羽毛掛け布団本体１０のうち、縦幅Ｗ１Ｂ（例えば、約５５ｃｍ）、横幅Ｗ２（例えば、約１５６ｃｍ）部分を示すものである。この肩口覆い部３は、上下左右仕切線３ａ〜３ｄに沿ってキルティング縫着されている。なお、横仕切り線２ａ１と下仕切り線３ｂは、同一の仕切り線からなるものである。
【００１７】
そして、この肩口覆い部３は、肩口覆い部３の中心線Ｏを基準として、肩口覆い部３の左右両側方向に横幅Ｗ２Ａａ（例えば、約３２ｃｍ）離れた上辺部左右位置Ｐ１から、中心線Ｏに向って約４５°傾斜した一対の第１傾斜仕切り線３ｅに沿ってキルティング縫着されている。これにより、肩口覆い部３には、第１肩口羽毛充填空間Ｋ２０が仕切られることとなる。そしてさらに、この肩口覆い部３は、上辺部左右位置Ｐ１からさらに、横幅Ｗ２Ａｂ（例えば、約２３ｃｍ）離れた上辺部左右位置Ｐ２から、第１傾斜仕切り線３ｅと平行となるように形成された中心線Ｏに向って約４５°傾斜した一対の第２傾斜仕切り線３ｆに沿ってキルティング縫着されている。これにより、肩口覆い部３には、第２肩口羽毛充填空間Ｋ２１，第３肩口羽毛充填空間Ｋ２２，第４肩口羽毛充填空間Ｋ２３，第５肩口羽毛充填空間Ｋ２４が仕切られることとなる。しかるに、肩口覆い部３には、第１肩口羽毛充填空間Ｋ２０〜第５肩口羽毛充填空間Ｋ２４、計５個の肩口羽毛充填空間が形成されることなる。なお、それぞれの空間内には、羽毛Ｕ（図３参照）が所定量充填されている。
【００１８】
しかして、このように肩口覆い部３に一対の第１傾斜仕切り線３ｅを形成することにより、図２（ａ）に示すように、敷布団Ｆに仰向けで寝ている就寝者Ｈに羽毛掛け布団１を掛けた際、図２（ｂ）に示すように、就寝者Ｈの肩口Ｈａに、羽毛掛け布団１、すなわち、肩口覆い部３を密着させることができ、もって、就寝者Ｈと肩口覆い部３との間に形成される隙間Ｓ１を小さくすることができる。これにより、羽毛掛け布団１内への外気の侵入を低減させることができ、もって、保温性を向上させることができる。
【００１９】
ところで、肩口覆い部３に一対の第１傾斜仕切り線３ｅを形成するにあたっては、横幅Ｗ２Ａａが３０ｃｍ〜３５ｃｍとなるように設定するのが好ましい。すなわち、日本人の平均男性の肩幅が約４５ｃｍ、日本人の平均女性の肩幅が約３８ｃｍであるため、日本人の平均男女の肩幅に肩口覆い部３を密着させるようにするには、さらに１５ｃｍ〜２０ｃｍ程度必要となる。そうすると、図１に示す上辺部左右位置Ｐ１間の幅、すなわち、横幅Ｗ２Ａａ＋横幅Ｗ２Ａａの値は、６０ｃｍ〜７０ｃｍとなるように設定するのが好ましい。それゆえ、横幅Ｗ２Ａａは、３０ｃｍ〜３５ｃｍとなるように設定するのが好ましい。しかして、このように横幅Ｗ２Ａａを３０ｃｍ〜３５ｃｍとなるように設定すれば、日本人の平均男女の肩幅に肩口覆い部３を密着させることができ、もって、就寝者Ｈ（図２参照）と肩口覆い部３との間に形成される隙間Ｓ１（図２（ｂ）参照）を小さくすることができる。これにより、羽毛掛け布団１内への外気の侵入を低減させることができ、もって、保温性を向上させることができる。なお、横幅Ｗ２Ａａを３０ｃｍより小さく設定すれば、日本人の平均男女の肩幅に肩口覆い部３を密着させることができず、横幅Ｗ２Ａａを３５ｃｍより大きく設定すれば、就寝者Ｈ（図２参照）と肩口覆い部３との間に形成される隙間Ｓ１（図２（ｂ）参照）が大きくなり、もって、外気の侵入を向上させることとなり、もって、保温性が低下することとなる。
【００２０】
一方、肩口覆い部３には、一対の第２傾斜仕切り線３ｆが形成されているから、図２（ａ）に示すように、敷布団Ｆに仰向けで寝ている就寝者Ｈに羽毛掛け布団１を掛けた際、図２（ｂ）に示すように、肩口覆い部３が敷布団Ｆの上面で折れ曲がり、もって、敷布団Ｆに密着させることができることとなる。それゆえ、就寝者Ｈと肩口覆い部３との間に形成される隙間Ｓ１が大きくならないようにすることができる。これにより、羽毛掛け布団１内への外気の侵入を低減させることができ、もって、保温性を向上させることができる。
【００２１】
ところで、肩口覆い部３には、図１に示すように、中心線Ｏを基準として一対の傾斜仕切り線が２つ形成されている。この理由を、図３を参照して具体的に説明する。なお、図３に示す図は、肩口覆い部３の左半分部分の概略断面図を示す図である。
【００２２】
すなわち、図３（ａ）に示すように、肩口覆い部３に一対の第１傾斜仕切り線３ｅだけ形成しただけでは、羽毛Ｕが充填される肩口羽毛充填空間Ｋ４０，Ｋ４１が大きくなり、もって、羽毛Ｕを押さえつけることができず、羽毛掛け布団１（肩口覆い部３）が膨らむこととなる。それゆえ、就寝者Ｈと羽毛掛け布団１（肩口覆い部３）との間に形成される隙間Ｓ１を大きくしてしまう可能性があり、もって、外気の侵入を向上させる可能性があり、保温性が低下する可能性がある。また、図３（ｃ）に示すように、肩口覆い部３に一対の第１傾斜仕切り線３ｅ、一対の第２傾斜仕切り線３ｆに加え、一対の第３傾斜仕切り線３ｇを新たに形成すると、図３（ａ）に示す羽毛Ｕの充填量と同じだけ充填しようとしても、肩口羽毛充填空間Ｋ５０，Ｋ５１，Ｋ５２，Ｋ５３が小さくなるため、羽毛掛け布団１（肩口覆い部３）のボリューム感が低くなる。さらには、一対の第１傾斜仕切り線３ｅ、一対の第２傾斜仕切り線３ｆ、一対の第３傾斜仕切り線３ｇから暖気が逃げる可能性がある。それゆえ、保温性が低下する可能性がある。
【００２３】
以上のことより、羽毛掛け布団１（肩口覆い部３）のボリューム感を出し、さらに、保温性を向上させるようにするには、図３（ｂ）に示すように、肩口覆い部３に、一対の傾斜仕切り線を２つだけ形成するのが好適である。
【００２４】
しかして、以上説明した本実施形態の羽毛掛け布団１によれば、保温性を向上させることができる。
【００２５】
なお、本実施形態において示した羽毛掛け布団１の形状等はあくまで一例であり、実用新案登録請求の範囲に記載された本考案の要旨の範囲内において、種々の変形・変更が可能である。例えば、本実施形態においては、仕切り線に沿ってキルティング縫着する例を示したが、仕切り線に沿って羽毛掛け布団１内に仕切布を設けた上でキルティング縫着するようにしても良い。
【符号の説明】
【００２６】
１                羽毛掛け布団
２                胴体覆い部
２ａ１〜２ａ４    横仕切り線（仕切り線）
２ｂ１〜２ｂ７    縦仕切り線（仕切り線）
３                肩口覆い部
３ｅ              第１傾斜仕切り線
３ｆ              第２傾斜仕切り線
Ｏ                中心線
Ｋ１〜Ｋ１８      胴体羽毛充填空間
Ｋ２０            第１肩口羽毛充填空間
Ｋ２１            第２肩口羽毛充填空間
Ｋ２２            第３肩口羽毛充填空間
Ｋ２３            第４肩口羽毛充填空間
Ｋ２４            第５肩口羽毛充填空間
Ｕ                羽毛
Ｈ                就寝者
Ｈａ              肩口
Ｓ１              隙間
Ｐ１，Ｐ２        上辺部左右位置
【図１】
0003214557.tif 000003
【図２】
0003214557.tif 000004
【図３】
0003214557.tif 000005